(57)【要約】【課題】下水道及びその付属施設の監視・制御ユニットを定額又は常時接続デジタル方式移動体通信網と移動体端末装置を利用して、簡易かつ安価な遠隔地点からの下水道及びその付属施設の監視と制御を可能にする。【解決手段】監視・制御ユニットから生成される監視データを、従量課金制又は定額課金制移動体データ通信網に接続して監視データを送信する無線伝送手段と、移動体データ通信事業者が有するサーバー又はインターネット接続事業者が有するサーバー、あるいはその双方に専用通信回線線又は常時接続通信回線によって接続しているデータ管理サーバーと、インターネットあるいは移動体データ通信網への接続手段を備える端末装置とから構成され、前記データ管理サーバーは下水道管理者が使用又は携行する端末装置から入力された制御命令を監視・制御ユニットへ送信するものであるよう構成される。【選択図】  図１
2004320692.tif 000002
【特許請求の範囲】
【請求項１】
監視手段及び制御手段を備える監視・制御ユニットと、
該監視・制御ユニットから生成される監視データを従量課金制又は定額課金制移動体データ通信網に接続して監視データを無線伝送する手段と、
移動体データ通信事業者が有するサーバー、又はインターネット接続ゲートウェイを経由して移動体データ通信網に接続しているインターネット接続事業者が有するサーバー、あるいはそれら双方に専用通信回線線又は常時接続通信回線によって接続しているデータ管理サーバー（以下、単に管理サーバーと称す）と、インターネットへの接続手段を備える端末装置又は移動体データ通信網への接続手段を備える移動体通信手段（以下、両者を単に端末装置と称す）とから構成され、
前記監視・制御ユニットは、予め設定された監視項目ごとのデータの変化を即時に又は一定時間ごとに外部に伝送し、
前記監視・制御ユニットからの監視データを従量課金制又は定額課金制移動体データ通信網に無線伝送する手段は、移動体データ通信網を管理、運用する移動体通信事業者から所定の識別番号を供与された端末装置であって、監視データをＡ／Ｄ変換処理又はデータのフォーマット変換処理と、それらの処理データの無線伝送を実行し、
前記の管理サーバーは、移動体データ通信網及びインターネットを経由して得た監視・制御ユニットからの監視データの集計及び蓄積をおこない、あるいは予め登録された警戒値又は異常値としてのパラメータによってデータを判別し、移動体データ通信網あるいはインターネットに接続している端末装置へそれらからの要求にもとづいて所望の処理済監視データを送信し、又は警戒値あるいは異常値が発生したことを即時に報知し、
前記端末装置は、監視データ表示手段と制御命令入力手段を備えることを特徴とする下水道遠隔制御管理システム。
【請求項２】
請求項１記載の下水道遠隔制御管理システムであって、前記管理サーバーは、下水道管理者が使用又は携行する端末装置から入力された制御命令を監視・制御ユニットへ送信するものであることを特徴とする下水道遠隔制御管理システム。
【発明の詳細な説明】
【０００１】
【発明の属する技術分野】
下水道の遠隔監視システムに関する。
【０００２】
【従来の技術】
遠隔地に分散している中小規模の下水道ならびにその付属施設には管理面や採算面から十分な監視所を設置して保守要員を常駐させることが困難であるうえ、監視装置が設置されていても、集中的な拠点において監視装置から送信されてくるデータを受動的に捉えて、警戒値や異常値が発生した場合にのみ保守要員が現場に出動して制御装置を操作しており、警戒値や異常値発生に対してリアルタイムに対応することが困難である。
【０００３】
【発明が解決しようとする課題】
下水道及びその付属施設を、定額かつ常時接続デジタル方式移動体通信網あるいは広帯域通信回線網を利用して、簡易かつ安価に、遠隔地点から状況の監視のみならず、警戒値や異常値が発生した場合には、即時に制御手段の遠隔操作を可能にする。
また、下水道管理者が固定された拠点のみならず、移動中であっても下水道の状況の把握と、警戒値や異常値への対応を可能ならしめるよう移動体通信手段による監視データの受信と制御手段の遠隔操作を可能にする。
【０００４】
【課題を解決するための手段】
請求項１記載の発明は、監視手段及び制御手段を備える監視・制御ユニットと、該監視・制御ユニットから生成される監視データを従量課金制又は定額課金制移動体データ通信網に接続して監視データを無線伝送する手段と、移動体データ通信事業者が有するサーバー、又はインターネット接続ゲートウェイを経由して移動体データ通信網に接続しているインターネット接続事業者が有するサーバー、あるいはその双方に専用通信回線線又は常時接続通信回線によって接続しているデータ管理サーバーとインターネットあるいは移動体データ通信網への接続手段を備える端末装置とから構成される。
【０００５】
請求項２記載の発明におけるサーバーは、下水道管理者が使用又は携行する端末装置から入力された制御命令を監視・制御ユニットへ送信するものであるよう構成される。
【０００６】
【発明における実施の形態】
以下、本発明における実施の形態を図に基づいて説明する。
図１は本発明の構成を示す図であって、監視カメラを含む監視手段１及び制御手段２を統合管理する監視・制御ユニット３と監視データの送信と制御命令信号の受信を兼ねる無線伝送手段４は所定の監視拠点に設置されており、移動体データ通信事業者からのＩＤ番号が供与されたもの、例えば、携帯電話機やＰＨＳ端末機であって、監視手段１からのデータは監視・制御ユニット３あるいは伝送手段４においてデジタルデータ通信に適した信号及びデータ形式に変換される。例えば画像データであれば無線伝送に適した画像フォーマットへの変換も行われる。無論、無線伝送手段４は移動体データ通信事業者が管理する無線基地局の有効通信圏内に存在することが前提となる。
【０００７】
前記によって変換処理された監視データは無線伝送手段４によって発信され、移動体データ通信網５と移動体データ通信網を管理するサーバー９を経由して、あるいは接続ゲートウェイ６、インターネット７、インターネット接続事業者のサーバー８を経由して管理サーバー１０に蓄積される。
【０００８】
サーバー１０においては監視データの時系列的蓄積と同時に所定のデータ解析が実行される。例えば、予め設定された下水管内の警戒水位、排水ポンプ等の稼動限界に対応するパラメータによって、設定された稼動限界を超えたと判断した場合には、自動的に移動体端末装置１１及び固定端末装置１２に対して一斉呼び出しをおこなって異常内容を報知し、それら端末装置から異常内容に対応する制御命令が送られてきた場合には監視・制御ユニット３に転送し、又は制御信号を自動生成して監視・制御ユニット３にフィードバックする。
【０００９】
サーバー１０は、下水道及び付属施設の管理者が携行する移動体端末装置１１、又は管理者が使用する固定端末装置１２から監視データの送信要求を受けた場合には、それら端末装置に対して所望の監視データ、又は分析データを送信する。また、監視手段１に監視カメラが含まれる場合には、端末装置から入力された、監視カメラの姿勢や焦点距離を制御する信号を監視・制御ユニット３に送信する。
【００１０】
【発明における効果】
本発明は、以上説明したように構成されているので、以下に記載されるような効果を奏する。
【００１１】
監視・制御ユニットからの監視データは固定端末装置のみならず、移動体端末装置からの送信要求にも対応して送信が可能であり、また、異常事態が発生した場合には下水道及び付属施設の管理者が携行する端末装置に対して一斉呼び出しをおこない、移動体端末装置から制御命令の入力実行させることにより、下水道及び付属施設の管理者が移動中であっても、異常事態に即応することが可能となる。
【図面の簡単な説明】
【図１】本発明による装置の全体構成を示す図である。
【符号の説明】
１  監視手段
２  制御手段
３  監視・制御ユニット
４  無線伝送手段
５  移動体データ通信網
６  接続ゲートウェイ
７  インターネット
８  インターネット接続事業者のサーバー
９  移動体データ通信事業者のサーバー
１０  データ管理サーバー
１１  移動体端末装置
１２  固定端末装置
【図１】
2004320692.tif 000003